(57)【要約】【課題】  照明灯の水槽用機能器具を水槽側に簡単に取り付けることができる取り付け構造を提供する。【解決手段】  平面形状が角形の底板１１の各コーナ部に迫り出された筒形台座１１１にそれぞれ筒形の支柱１２…を立設し、各支柱１２間に透明側壁板１３…をそれぞれ支持させてなる水槽１に照明２等の機能器具を取り付けるための水槽用機能器具の取り付け構造であって、前記水槽用機能器具２における支持アーム２５の先端側に、前記支柱１２…の上端部に挿脱可能に嵌着されるカップリング６を設ける。【選択図】  図１
2006262761.tif 000002
【特許請求の範囲】
【請求項１】
平面形状が角形の底板の各コーナ部に迫り出された筒形台座にそれぞれ支柱を立設し、各支柱間に透明側壁板をそれぞれ支持させてなる水槽に、機能器具を取り付けるための水槽用機能器具の取り付け構造であって、
前記水槽用機能器具の器具本体が取り付けられた支持アームの先端側に、前記支柱の上端に挿脱可能に嵌着されるカップリングを設けたことを特徴とする水槽用機能器具の取り付け構造。
【請求項２】
前記カップリングは、前記支柱の外側に当接する外嵌部と、前記外観部の内部に形成され、上端が開口した筒形に形成された前記支柱の内側に当接するリブ片とを備えた請求項１に記載の水槽用機能器具の取り付け構造。
【請求項３】
前記支持アームの下面には、前記器具本体内から引き出された電源コードを、前記カップリングの上方を通過して、該支持アーム先端近傍まで案内する配線通路が形成されている請求項１または２に記載の水槽用機能器具の取り付け構造。
【請求項４】
前記支持アームの基端部を前記器具本体の軸受け部に対して回動可能に枢支し、
前記器具本体側の軸受け部と前記支持アームの基端部との各対向面に、互いに接触して回動操作に節度を与える節度溝を形成するとともに、
前記器具本体側の軸受け部と支持アームの基端部との各対向面のいずれか一方に係止突起を形成し、他方に折り畳み方向回動規制用突起を形成し、前記支持アームを前記器具本体に対する折り畳み状態から拡開操作して一定の拡開角度に達した際に、前記折り畳み方向回動規制用突起が前記係止突起を乗り越えることにより、この乗り越え位置から折り畳み方向への回動復帰を規制するように設定した請求項１〜３のいずれかに記載の水槽用機能器具の取り付け構造。
【請求項５】
請求項１〜４のいずれかに記載の水槽用機能器具の取り付け構造を有する照明器具であって、
先端で折り返された光源と、この光源を覆う略筒形のフードとを備えており、
このフードは、下面側に切り欠き形成された下方照射用開口と、この下方照射用開口の前端に連通して前記フードの上壁前端まで斜めに切り欠き形成された前方照射用開口とを有していることを特徴とする照明器具。
【発明の詳細な説明】
【技術分野】
【０００１】
この発明は、照明器具や冷却用ファンなどの水槽用機能器具を水槽に取り付ける用に供される水槽用機能器具の取り付け構造に関する。
【背景技術】
【０００２】
従来、水槽用機能器具、例えば照明器具の取り付け構造として、例えば水槽の左右両端に跨がって配置される門形のスタンドに照明器具を装着し、このスタンドにおける両立ち下がり部の各下端にそれぞれクリップを設け、両クリップで水槽の左右のガラス板の各上端をそれぞれ挟み付けるようにしたものがある（例えば、特許文献１参照）。
【０００３】
また、水槽の左右両端に跨がって配置される支持構造体に照明器具を支持し、この支持構造体の両端部に水槽の左右両端にそれぞれ係合する取り付け部を設けたものが知られている（例えば、特許文献２参照）。
【０００４】
さらに、照明器具の左右の支持部にそれぞれガイドロッドを垂設し、各ガイドロッドが上下方向へ変位可能に嵌入される左右の筒状体の各下端に、水槽の左右のガラス板の各上端をそれぞれ挟持する挟持部を設けたものがある（例えば、特許文献３参照）。
【０００５】
さらにまた、照明器具の支持体を、水槽の左右両端の装着されたＸ形昇降アームに連結したものも提案されている（例えば、特許文献４参照）。
【特許文献１】実開平７−３００４９号公報
【特許文献２】特開２０００−１８８９９９号公報
【特許文献３】特開２００１−２９９１３９号公報
【特許文献４】特開２００４−８０４２号公報
【発明の開示】
【発明が解決しようとする課題】
【０００６】
しかし、従来の技術では、スタンドなどの専用部材を使用して照明器具を水槽の左右両端に跨がって設置するようになっており、水槽内の水を入れ換えたり、掃除したりする際には、スタンドなどの専用部材を外したり、あるいは専用部材から照明器具を外さなければならず、面倒である。
【０００７】
この発明は、上記実情に鑑みてなされたものであり、水槽に対する水槽用機能器具の着脱が簡単な使い勝手のよい水槽用機能器具の取り付け構造を提供することを課題としている。
【課題を解決するための手段】
【０００８】
本発明は、以下の手段を提供する。
【０００９】
［１］平面形状が角形の底板の各コーナ部に迫り出された筒形台座にそれぞれ支柱を立設し、各支柱間に透明側壁板をそれぞれ支持させてなる水槽に、機能器具を取り付けるための水槽用機能器具の取り付け構造であって、
前記水槽用機能器具の器具本体が取り付けられた支持アームの先端側に、前記支柱の上端に挿脱可能に嵌着されるカップリングを設けたことを特徴とする水槽用機能器具の取り付け構造。
【００１０】
［２］前記カップリングは、前記支柱の外側に当接する外嵌部と、前記外観部の内部に形成され、上端が開口した筒形に形成された前記支柱の内側に当接するリブ片とを備えた前項１に記載の水槽用機能器具の取り付け構造。
【００１１】
［３］前記支持アームの下面には、前記器具本体内から引き出された電源コードを、前記カップリングの上方を通過して、該支持アーム先端近傍まで案内する配線通路が形成されている前項１または２に記載の水槽用機能器具の取り付け構造。
【００１２】
［４］前記支持アームの基端部を前記器具本体の軸受け部に対して回動可能に枢支し、
前記器具本体側の軸受け部と前記支持アームの基端部との各対向面に、互いに接触して回動操作に節度を与える節度溝を形成するとともに、
前記器具本体側の軸受け部と支持アームの基端部との各対向面のいずれか一方に係止突起を形成し、他方に折り畳み方向回動規制用突起を形成し、前記支持アームを前記器具本体に対する折り畳み状態から拡開操作して一定の拡開角度に達した際に、前記折り畳み方向回動規制用突起が前記係止突起を乗り越えることにより、この乗り越え位置から折り畳み方向への回動復帰を規制するように設定した前項１〜３のいずれかに記載の水槽用機能器具の取り付け構造。
【００１３】
［５］前項１〜４のいずれかに記載の水槽用機能器具の取り付け構造を有する照明器具であって、
先端で折り返された光源と、この光源を覆う略筒形のフードとを備えており、
このフードは、下面側に切り欠き形成された下方照射用開口と、この下方照射用開口の前端に連通して前記フードの上壁前端まで斜めに切り欠き形成された前方照射用開口とを有していることを特徴とする照明器具。
【発明の効果】
【００１４】
前記発明［１］によれば、水槽用機能器具の支持アームの先端側に水槽の支柱に嵌着されるカップリングを設けたから、そのカップリングを前記支柱の上端部に嵌着させれば、水槽用機能器具を水槽側に簡単に取り付けることができ、また、前記カップリングを支柱から引き抜き操作するだけで前記水槽用機能器具を支柱から簡単に取り外すことができる。これにより、たとえば水槽を掃除したりする際に、迅速に水槽用機能器具を外して掃除を開始することができる。
【００１５】
さらに、同形状の支柱を複数備えた水槽等に対しては、水槽のコーナの支柱のいずれかを選択することにより、水槽用機能器具の取付位置を容易に変更することができる。このため、たとえば水槽用機能器具としての照明器具を取り付ける場合、水槽の設置位置等に応じた適切な照明方向等を選択することができる。
【００１６】
前記発明［２］によれば、支柱の周壁の外側に当接する外嵌部と、内側に当接するリブ片とにより、支柱の周壁が外側と内側とから挟み付けられるため、カップリングを支柱にがたつくことなく保持させることができ、これにより、水槽用機能器具を水槽に安定して取り付けることができる。
【００１７】
前記発明［３］によれば、支持アームの下面側にカップリングの上方を通過する配線通路を設けたため、電源コードの引き回し状態が隠れて見栄えがよくなる。
【００１８】
前記発明［４］によれば、支持アーム基端部と器具本体側の軸受け部とに形成された節度溝により、支持アームの回動操作に適当な節度が得ながら、水槽の支柱に取り付けられる支持アームに対する器具本体の取付角度を調整することができる。
【００１９】
また、支持アームを一旦、一定の角度まで拡開させれば、折り畳み方向回動規制用突起が係止突起を乗り越えることにより、折り畳み方向への回動復帰が規制されるため、水槽用機能器具を水槽に取り付けた状態で、水槽用機能器具が意図せず折り畳み方向へ回動して、水槽用機能器具の先端などが水没すること等を防止することができる。
【００２０】
前記発明［５］によれば、光源の周面からの光がフードにおける下側照射用開口から放射され、さらに、前記光源から前方に向かう光もフードの前方照射用開口から放射されるから、水槽内に対する照明効果が向上する。
【発明を実施するための最良の形態】
【００２１】
以下、この発明の実施形態を図面に基づいて説明する。
【００２２】
図１は、この発明の実施形態にかかる水槽用機能器具である照明器具の取り付け状態を示す斜視図である。図２は、同照明器具の取り外し状態を示す斜視図である。図３は、水槽の分解斜視図である。
【００２３】
図１〜図３において、１は水槽、２は照明器具、６は照明器具２を水槽１に取り付けるためのカップリングである。
【００２４】
前記水槽１は、平面形状が、例えば４角形の底板１１と、底板１１の各コーナ部付近にそれぞれ立設された４本の支柱１２と、底板１１の各辺に対応して配置される４個の透明側壁板１３…とを備えている。
【００２５】
前記底板１１は、例えば合成樹脂からなり、各辺には、透明側壁板１３の各下端がそれぞれ嵌合される溝条１１ａが形成されており、また、底板１１の４つのコーナ部から迫り出した位置には、略筒形の支柱用台座１１１が一体形成されている。底板１１の下面には、例えば格子状の補強リブ（図示せず）が一体形成されている。
【００２６】
前記支柱１２は、例えば合成樹脂の略円筒体からなり、下端部１２ａを前記台座１１１に嵌着することにより、前記底板１１上に堅固に立設されている。
【００２７】
支柱１２…の周面における透明側壁板１３…側の一部は、図１０に示すように、９０°の開き角（θ）で半径方向へ凹入された凹入部１２１となっている。この凹入部１２１は、仕切り壁１２２で分かれた２つの縦溝部１２１ａ，１２１ｂとなっており、一方の縦溝部１２１ａは、前記透明側壁板１３の隣接端部を嵌入させて外側から保持し、他方の縦溝部１２１ｂは、前記透明側壁板１３と隣接関係にある透明側壁板１３の隣接端部を嵌入させて外側から保持するようになっている。
【００２８】
前記４個の透明側壁板１３…は、例えば角形の平板ガラスから構成されている。勿論、透明側壁板１３…は、ガラスに限らず、例えば透明の合成樹脂製のものであってもよく、また、平板のものに限らず、水槽１の全体構造から湾曲状のものであってもよい。
【００２９】
なお、支柱１２の上端開口１２ｂには、図示しない円筒形のキャップが嵌着されるようになっている。
【００３０】
つぎに、前記照明器具２の構成について、主に図４および図５を参照して説明する。
【００３１】
前記照明器具２は、例えば全体的に略筒形のタイプであり、光源２１，２１やフード２２を備えた器具本体２３と、この器具本体２３の後端部下面に設けられた左右一対の円盤状軸受け部４１，４２（図５、図６）に回動可能に連結・枢支された支持アーム２５とを備えている。前記一対の円盤状の軸受け部４１，４２は、支持アーム２５の基端部５１，５２などと共に、枢支部４０を構成している。
【００３２】
前記器具本体２３は、前記フード２２の後端部が連結された筒形の本体ケース２６や、この本体ケース２６内に収容されたソケットケース部２７などを有している。
【００３３】
前記本体ケース２６は、例えば合成樹脂製の円筒体からなり、この例では半径方向で左右に２分割されており、これら分割半体２６Ａ，２６Ｂは、ねじ２８，４６により結合されている。
【００３４】
この本体ケース２６の先端縁部には、環状の凸部２６ｂが形成されており、この凸部２６ｂが前記フード２２の後端縁部に形成された環状凹部２２ａに嵌着されている。
【００３５】
前記光源２１，２１は、例えば先端で折り返されたＵ字形の蛍光管が使用されており、これら蛍光管２１，２１は、保持部２１０に保持されている。
【００３６】
この保持部２１０の後端面には、導電性の筒形雄ねじ部からなる一方の口金部２９Ａが接続されており、さらに口金部２９Ａの後面には、口金部２９Ａとは電気的に絶縁された金属接点からなる他方の口金部２９Ｂが設けられている。これら口金部２９Ａ，２９Ｂは、それぞれ蛍光管２１の二つの電極（図示せず）にそれぞれ電気的に接続されている。
【００３７】
また、前記ソケットケース部２７内の後部には、電源スイッチ（ＯＮ／ＯＦＦスイッチ）３０が収容されるとともに、そのソケットケース部２７の後壁外面からワッシャ３０ａなどにより固定されている。この電源スイッチ３０は、例えばロータリスイッチが使用されている。
【００３８】
前記本体ケース２６の後壁外面に対向して、回転操作体３２が配設されており、その内面には、前方へ向かって筒部３２ａが形成されている。
【００３９】
前記電源スイッチ３０の回転操作軸部（ＯＮ／ＯＦＦ操作部）３１ａは、前記ソケットケース部２７の後壁および本体ケース２６の後壁を貫通しており、前記回転操作体３２の筒部３２ａに圧入して接続されている。
【００４０】
前記一方に口金部２９Ａは、前記ソケットケース部２７の前部に内嵌された光源用ソケット３３に螺入されており、前記ソケットケース部２７から引き出される電源コード３４の一方のリード線３４Ａに電気的に接続されている。
【００４１】
また、他方の口金部２９Ｂは、接触片３５を介して電源スイッチ３０の一対の端子（図示せず）のうちの一方の端子に電気的に接続されており、また、電源スイッチ３０の他方の端子に前記電源コード３４の他方のリード線３４Ｂが電気的に接続されている。
【００４２】
前記電源スイッチ３０の回転操作体３２を一方向へ回転変移させると、該電源スイッチ３０がＯＮとなり、前記蛍光管２１への電力が供給されて、該蛍光管２１が点灯する。この状態で前記回転操作体３２をさらに回転変移させると、該電源スイッチ３０がＯＦＦとなり、前記蛍光管２１への電力供給が断たれ、該蛍光管２１が消灯する。つまり、前記回転操作体３２の回転操作を続けると、電源スイッチ３０のＯＮとＯＦＦが繰り返される。勿論、前記電源スイッチ３０は、ロータリスイッチに限らない。
【００４３】
前記フード２２は、例えば前後方向で２分割されており、前部フード部２２１の後端に後部フード２２２の前端が軸方向から係合する係合部２２３を介して結合されている。
【００４４】
このフード２２の下面側は、前方から後方へ向かってＵ字形に切り欠かれており、この切り欠き部２２Ａが前記蛍光管２１の周面からの光を下方（水槽１内）へ向けて照射させるための下方照射用開口２２４となっている。
【００４５】
また、フード２２は、下方照射用開口２２４の前端に連通してフード２２の上壁前端に向かって斜めに切り欠かれており、この切り欠きによる開口は、蛍光管２１の前端部位の光を照射すための前方照射用開口２２５となっている。
【００４６】
なお、前記蛍光管２１がフード２２の側方から見えないように前記下方照射用開口２２４や前方照射用開口２２５の切り欠き方向を考慮して設計すれば、外観性がよくなる。
【００４７】
前記支持アーム２５は、湾曲した細板状に形成されており、その先端部下面には、下方へ突出する被取り付け用円筒形突出部２５１が一体形成されている。
【００４８】
また、前記支持アーム２５の下面には、前記電源コード３４の引回しをガイドする溝条の配線通路２５２が、カップリング６の上方に位置する前記突出部２５１の根元を貫通する貫通孔２５３まで形成されている。
【００４９】
電源コード３４は、前記配線通路２５２で略ガイドされる状態で前記貫通孔２５３を挿通されて支持アーム２５の先端近傍まで案内されており、これにより、電源コード３４の引回しがあまり目立たなくなり、見栄えが良い。
【００５０】
つぎに、前記支持アーム２５の枢支部４０の具体的構造について、図５〜図９を参照して説明する。
【００５１】
前記左右一対の軸受け部４１，４２は、例えば合成樹脂からなり、それぞれ前記分割半体２６Ａ，２６Ｂの各周壁に一体形成されており、一方の軸受け部４１の中心には、図６に示すように、先端部が他方の軸受け部４２の中心の孔４４に嵌合されるパイプ状の支軸４３が突設されている。
【００５２】
これら軸受け部４１，４２の各対向面（内側面）には、前記支軸４３の周りに環状の位置決め用凸面部４１ａ，４２ａがそれぞれ一体形成されており、さらに、各凸面部４１ａ，４２ａには、前記支軸４３の周りに位置して鋸歯状溝のような節度溝４１１，４２１がそれぞれ環状に設けられている。
【００５３】
前記支持アーム２５の基端部は、図５〜図７に示すように、二股状に分かれて対向する左右の円盤部５１，５２で構成されており、これら円盤部５１，５２の各中心には、前記支軸４３に挿通される軸孔４５が形成されている。
【００５４】
左側の円盤部５１における左側軸受け部４１との対向面には、前記左側の軸受け部４１側の位置決め用凸面部４１ａに嵌合する円形凹所５１ａが形成されており、さらに、その円形凹所５１ａの外側に位置して前記軸孔４５周りには、前記節度溝４１１と噛み合う節度溝５１１が環状に設けられている。
【００５５】
また、右側の円盤部５２における右側軸受け部４２との対向面には、図７に示すように、前記右側の軸受け部４２側の凸面部４２ａに嵌合する円形凹所５２ａが形成されており、さらに、その円形凹所５２ａの外側に位置して前記軸孔４５周りには、図７に示すように、前記右側の軸受け部４２側の節度溝４２１と噛み合う節度溝５２１が環状に設けられている。
【００５６】
前記支持アーム２５は、前記円盤部５１，５２が前記軸受け部４１，４２間に介在されており、前記支軸４３と軸孔４５を介して図４の鎖線で示す折り畳み位置と実線で示す拡開位置との間で回動可能に枢支されるとともに、前記節度溝４１１と節度溝５１１との噛み合いならびに節度溝４２１と節度溝５２１との噛み合いにより、節度的に回動変移するようになっている。
【００５７】
なお、前記軸孔４５に挿通された支軸４３の先端には、前記右側の軸受け部４２側から抜け止め用のねじ体４６が螺入されている。
【００５８】
前記左側の軸受け部４１における前記凸面部４１上には、支持アーム２５の拡開方向（矢印ａ方向）へ向かって上り勾配の斜面４１２ａを有し、側面形状が三角形の係止突起４１２が一体形成されている。
【００５９】
また、支持アーム２５側の左側円盤部５１における円形凹所５１ａの底面には、支持アーム２５の拡開方向へ向かって下り勾配の斜面５１２ａを有し、側面形状が三角形の折り畳み方向回動規制用突起５１２が一体形成されている。
【００６０】
他方、前記右側の軸受け部４１における前記凸面部４２ａ上にも、前記と同様に支持アーム２５の拡開方向へ向かって上り勾配の斜面４２２ａを有し、側面形状が係止突起４２２が一体形成されている。
【００６１】
また、図７に示すように、支持アーム２５側の右側円盤部５２における円形凹所５２ａの底面にも、支持アーム２５の拡開方向に向かって下り勾配の斜面５２２ａを有し、側面形状が三角形の折り畳み方向回動規制用突起５２２が一体形成されている。
【００６２】
前記折り畳み方向回動規制用突起５１２（５２２）は、支持アーム２５の折り畳み位置から拡開方向へ節度的に回動変移させ、一定の拡開角度θ（図８）に達すると、図９に示すように、前記相手側の係止突起４１２（４２２）の斜面４１２ａ（４２２ａ）をそれぞれ乗り越えるように設定されており、その乗り越え位置では、係止突起４１２（４２２）に係合されるように設定されている。これにより、その乗り越え位置からの折り畳み方向への回動復帰を阻止するようになっている。
【００６３】
ついで、前記カップリング６の構成を、図１０〜図１３を参照して説明する。
【００６４】
前記カップリング６は、この例では、例えば合成樹脂により前記支持アーム２５側とは別体に成形されており、前記支持アーム２５の円筒形突出部２５１に内嵌する上端部である支持アーム嵌合部６１と、この支持アーム支持部６１の下端に連成されて、前記水槽１側の支柱１２の上端部に対して外嵌され、支柱１２の外側に当接する略円筒形の支柱嵌合部（外嵌部）６２とからなる。
【００６５】
この支柱嵌合部（外嵌部）６２の周壁は、前記水槽１の透明側壁板１３，１３のコーナ結合部位の挿入を妨げないように、切り欠き部６２ａが形成されている。また、支柱嵌合部６２の内周面には、平面形状が十文字形のリブ（図１３）６２０が一体形成され、さらに、その下部には、図１４に示すように、支柱１２に外嵌状態で後端面が支柱１２の上端部の内周面に当接するリブ片６２１が一体形成されている。
【００６６】
前記リブ片６２１の後端面と前記支柱嵌合部６２の内周面との間には、支柱１２の周壁が進入可能な隙間６２１ａが形成されている。つまり、支柱１２に外嵌した状態では、支柱嵌合部６２の内周面と前記リブ片６２１の後端面とで前記支柱１２の上端部周壁を挟み付けるようになっている。
【００６７】
つぎに、上記照明器具２を水槽１に取り付けて使用する手順を説明する。
【００６８】
この照明器具２は、支持アーム２５が器具本体２３に対して回動可能に枢支されているから、工場出荷時からコンパクトな状態で輸送できるように、前記支持アーム２５を図４の鎖線で示すように折り畳んである。
【００６９】
従って、使用に際しては、まず、前記支持アーム２５を拡開方向へ回動変移させる。支持アーム２５の回動変移が一定の拡開角度θ（図８の実線で示す位置）に達すると、折り畳み方向回動規制用突起４２２（５２２）が図９に示すように、前記相手側の係止突起４１２（５２２）の斜面４１２ａ（５２２ａ）を乗り越えて各係止突起４１２（５２２）に係合される。これにより、その乗り越え位置からの折り畳み方向への回動復帰が阻止される。
【００７０】
そして、支持アーム２５の円筒形突出部２５１の下端開口に前記カップリング６における支持アーム嵌合部６１を内嵌させる一方、支柱１２の上端のキャップを外し、前記カップリング６における支柱嵌合部６２を前記支柱１２の上端部に外嵌させる。これにより、前記照明器具２を水槽１に簡単に取り付けることができる。
【００７１】
この取り付け状態では、前記カップリング６におけるリブ片６２１が前記支柱１２の上端開口１２ｂ内に入り込む一方、該リブ片６２１の後端面と前記支柱嵌合部６２の内周面との隙間６２１ａに支柱１２の上端部周壁が入り込むから、該支柱嵌合部６２の内周面と前記リブ片６２１の後端面とで前記支柱１２の上端部周壁が挟み付けられる。このため、前記照明器具２は、取り付け状態で支柱１２に対してがたつきもなく、堅固に保持される。
【００７２】
また、前記カップリング６を支柱１２から引き抜き操作すれば、照明器具２を水槽１から簡単に取り外すことができる。
【００７３】
そして、照明器具２における円筒形操作体３２を回転操作すれば、電源スイッチ３０がＯＮして前記Ｕ字形の蛍光管２１が点灯する。前記フード２２における下面側に下方照射用開口２２１が形成されているので、蛍光管２１の側周面からの光がその下方照射用開口２２１を通って水槽１内に向けて照射される。
【００７４】
さらに、前記フード２２の下方照射用開口２２１の前端に連通して前側も斜めに切り欠かれて前方照射用開口２２５となっているから、前記蛍光管２１の前端からの光も前記開口２２５から水槽１内に向け照射される。つまり、蛍光管２１からの光が無駄なく水槽１側に照射される。
【００７５】
また、器具本体２３を支持アーム２５枢支部４０を支点にして垂直面内に沿って回動変移させれば、前記蛍光管２１からの光の上下方向の照射角度を任意に変えることができる。その回動操作時には、前記固定側の節度溝４１１（４２２）と支持アーム２５側の節度溝５１１（５２１）との噛み合いにより節度的に行われるから、器具本体２３を任意の設定角度に的確に保持させることが可能となる。
【００７６】
勿論、照明器具２を前記カップリング６で水平面内に沿って任意の回動位置に設定することも可能である。
【００７７】
なお、前記光源２１は、蛍光管以外の他の放電管なども可能である。また、Ｕ字形のものに限定されるものではなく、例えばスパイラル状に巻いた形状のものなど、前端で折り返された形状であればよい。
【００７８】
また、照明器具２の支持アーム２５を支柱２に支持させる構成であるから、水槽１の対角方向の隅々までを比較的良好に照射することができ、また、照明器具２を水槽１の設置場所の都合から照明方向を変えたい場合でも、４本の支柱１２から所望の照射方向に適した支柱１２を選択して取り付けることができ、使い勝手がかなりよくなる。
【００７９】
ところで、照明器具２の使用状態では、前記固定側の節度溝４１１（４２２）と支持アーム２５側の節度溝５１１（５２１）との噛み合いで所望に照射角度が保持されているが、照明器具本体２３が節度を越える不用意な外力を受けたりして前記器具本体２３側が支持アーム２５に対して枢支部４０を支点にして下方に大きく屈曲した状態（つまり、両者２３，２５が折り畳み方向へ相対的に回動変移する状態）になると、前記フード２２の先端側が水没するおそれがある。
【００８０】
この点について、前記照明器具２の取り付け時に折り畳み状態から拡開させた時に、支持アーム２５の回動変移が一定の拡開角度θ（図８の実線で示す位置）に達すると、前記折り畳み方向回動規制用突起４２２（５２２）が図９に示すように、前記相手側の係止突起４１２（５２２）の斜面４１２ａ（５２２ａ）を乗り越えて該係止突起４１２（５２２）に係合される。
【００８１】
このため、前記取り付け状態で器具本体２３が節度を越える不用意な外力を受けて大きく屈曲しそうになっても、前記折り畳み方向回動規制用突起４２２（５２２）が相手側の固定突起４１２（５２２）に係合され、折り畳み方向への回動復帰、つまり、照明器具２の屈曲が阻止される。従って、前記照明器具２の先端側が水没するおそれはなく、安心して使用することができる。
【００８２】
ところで、前記実施形態では、水槽１に機能器具としての照明器具２を取り付ける例で説明したが、機能器具としては、照明器具に限られるものではなく、例えば、冷却ファンの取り付けにも適用可能である。
【００８３】
図１６は、冷却ファン７の取り付け構造を示し、図１および図２と同一もしくは相当部所には、同一符号を付してそれらの説明を省略する。
【００８４】
図１６において、冷却ファン７における支持アーム７１を前記カップリング６を使用して水槽１の支柱１２の上端部挿脱可能に嵌着してある。
【００８５】
この場合も、冷却ファン７を支柱１２に対して簡単に取り付けることができることなど、前記実施例と同様の効果が発揮される。この冷却ファン７により、夏場の水温上昇を有効に抑制することがきる。
【００８６】
なお、前記カップリング６を支持アーム２５（７１）の被取り付け用突出部２５１の下端に一体形成してもよいが、前記両実施形態のように、支持アーム２５（７１）側とは別体に成形したカップリング６としてあると、例えば、このカップリング６を支持アーム２５（７１）から外して、別のアタッチメント、例えば透明側壁板１３に対する挟着用クリップをもったカップリングを支持アーム２５（７１）に取り付けることができる。つまり、水槽用機能器具２（７）を前記アタッチメントに交換して透明側壁板１３…の上端に取り付けることも可能となる。
【図面の簡単な説明】
【００８７】
【図１】この発明の実施形態にかかる水槽用機能器具である照明器具の取り付け状態を示す斜視図である。
【図２】同じく照明器具の取り外し状態の斜視図である。
【図３】水槽の分解斜視図である。
【図４】照明器具の断面図である。
【図５】図１のＸ−Ｘ線に沿った断面図である。
【図６】支持アームの枢支部の分解斜視図である。
【図７】支持アームの枢支部の一部の斜視図である。
【図８】支持アームを一定角度（θ）回動変移させたときの動作説明図である。
【図９】支持アームの折り畳み方向への復帰を規制する要部の展開説明図である。
【図１０】支持アームに嵌入されるカップリングと支柱の上部とを示す斜視図である。
【図１１】カップリングの正面図である。
【図１２】カップリングの縦断面図である。
【図１３】カップリングの底面図である。
【図１４】支持アームをカップリングを介して支柱に嵌着した状態での要部を示す一部破断側面図である。
【図１５】支持アームをカップリングを介して支柱に嵌着した状態での要部を示す横断図である。
【図１６】冷却ファンの取り付け構造を取り外し状態で示す斜視図である。
【符号の説明】
【００８８】
１  水槽
２  照明器具（水槽用機能器具）
６  カップリング
１１  底板
１１１  支柱用の台座
１２  支柱
１３  透明側壁板
２１  光源（蛍光管）
２２  フード
２２４  フードの下方照射用開口
２２５  フードの前方照射用開口
２３  器具本体
２５  支持アーム
２５１  被取り付け用突出部
２５２  配線通路
２５３  貫通孔
３４  電源コード
４１，４２  軸受け部
４１１，４２１，５１１，５２１  節度溝
４１２  ４２２  係止突起
４３  支軸
５１，５２  支持アームの基端側
５１２  ５２２  折り畳み方向回動規制用突起
６２  カップリングの下端部
７  冷却ファン（水槽用機能器具）
７１  支持アーム
ａ  拡開方向
ｂ  折り畳み方向
【図１】
2006262761.tif 000003
【図２】
2006262761.tif 000004
【図３】
2006262761.tif 000005
【図４】
2006262761.tif 000006
【図５】
2006262761.tif 000007
【図６】
2006262761.tif 000008
【図７】
2006262761.tif 000009
【図８】
2006262761.tif 000010
【図９】
2006262761.tif 000011
【図１０】
2006262761.tif 000012
【図１１】
2006262761.tif 000013
【図１２】
2006262761.tif 000014
【図１３】
2006262761.tif 000015
【図１４】
2006262761.tif 000016
【図１５】
2006262761.tif 000017
【図１６】
2006262761.tif 000018